(57)【特許請求の範囲】
【請求項１】
着色層を有する光ファイバ着色素線が複数本平行に引き揃えられ、これらの光ファイバ着色素線が紫外線硬化型樹脂からなる一括被覆層によりテープ状に一体化されてなる光ファイバテープ心線が複数枚、積層または集合されてなる光ファイバテープ心線の集合体であって、前記各光ファイバテープ心線内に埋設される各ファイバ着色素線の色が一対づつペアにした場合、少なくともそのペアにおいて互いに異なり、かつこれらの光ファイバ着色素線の配列順序が同一であり、さらに前記各光ファイバテープ心線の一括被覆層はその色が各光ファイバテープ心線ごとに互いに異なる色になるように配色され、かつ内部の着色素線を透視できるように半透明に構成されてなることを特徴とする光ファイバテープ心線の集合体。
【請求項２】
前記各光ファイバテープ心線が複数枚の単位光ファイバテープ心線から構成され、かつ各単位光ファイバテープ心線は異なった色の着色素線が隣接するように配置され、かつ一括被覆層が半透明であってこの一括被覆層の外側から内部の各光ファイバ着色素線が透視できるように構成された請求項１記載の光ファイバテープ心線の集合体。
【発明の詳細な説明】
【０００１】
【発明の属する技術分野】
この発明は、２心、４心、８心、１２心またはそれ以上の心数を備えた光ファイバテープ心線が多数枚にわたってケーブルスロットのＵ溝内に積層あるいは架空ケーブルのパイプ内に集合されて使用された際、選択された特定の光ファイバテープ心線の先端部と後端部における光ファイバ心線の同一性の照合あるいは対向する一対の光ファイバテープ心線の先端部における光ファイバ心線同士の同一性の照合を容易に行うことが出来る光ファイバテープ心線の集合体に関する。
【０００２】
【従来の技術】
従来この種の光ファイバテープ心線として（１）特開平7-92360号公報、（２）特開平8-220396号公報、（３）特開平8-220397号公報等に記載されているものが知られている。
【０００３】
これらのものは、最外層に着色紫外線硬化型樹脂からなる着色層を有する光ファイバ着色素線を複数本平行に引き揃え、これらの光ファイバ着色素線を紫外線硬化型樹脂からなる一括被覆層によりテープ状に一体化してなるものであって、かつ各光ファイバテープ心線の光ファイバ着色素線群の配列を変えると共に各光ファイバテープ心線の識別をするためにそれぞれの表面にテープ番号等の識別記号を印刷したものである。
【０００４】
【発明が解決しようとする課題】
従来の光ファイバテープ心線においては、ケーブルスロットのＵ溝内に収納されている複数枚の光ファイバテープ心線を識別するために、各光ファイバテープ心線毎に光ファイバ着色素線群の配列を異ならしめると共に光ファイバテープ心線の表面に識別記号を印刷する構成となっている。
【０００５】
このため各光ファイバテープ心線ごとに光ファイバ着色素線群の配列が異なるように製造しなければならず製造工程が複雑であり、また光ファイバテープ心線の幅が狭いもの（4心テープファイバ心線はほぼ1.1ｍｍ）においてはその表面に識別記号を印刷することはきわめて困難である。
【０００６】
この発明はこれ等の問題を解消した光ファイバテープ心線の集合体を提供することを目的とする。
【０００７】
【課題を解決するための手段】
この発明の第１の課題解決手段は、着色層を有する光ファイバ着色素線が複数本平行に引き揃えられ、これらの光ファイバ着色素線が紫外線硬化型樹脂からなる一括被覆層によりテープ状に一体化されてなる光ファイバテープ心線が複数枚、積層または集合されてなる光ファイバテープ心線の集合体であって、前記各光ファイバテープ心線内に埋設される各ファイバ着色素線の色が互いに異なり、かつこれらの光ファイバ着色素線が長手方向に配列される際の順序が同一であり、さらに前記各光ファイバテープ心線の一括被覆層の色が各光ファイバテープ心線ごとに互いに異なる色になるように配色され、かつ内部の着色素線を透視できるように半透明に構成される。
【０００８】
第２の課題解決手段は、各光ファイバテープ心線が複数枚の単位光ファイバテープ心線を長手方向に引き揃えて一枚のテープ状に構成され、かつ各単位光ファイバテープ心線の着色素線においてそれぞれ異なった色の着色素線が隣接するように配置され、かつこれ等の着色素線を被覆する一括被覆層が半透明であってこの一括被覆層の外側から内部の各光ファイバ着色素線が透視できるように構成される。
【００１２】
【作用】
第１の課題解決手段によれば、各光ファイバテープ心線の光ファイバ着色素線を同一に配列しても各光ファイバテープ心線の一括被覆層の色彩を変えることによって各光ファイバテープ心線および内部の着色素線を識別できる。
【００１３】
第２の課題解決手段によれば、複数枚の単位光ファイバテープ心線で一枚の分割型光ファイバテープ心線を構成するので、多数本の着色素線の配列を勘案して全体として一枚の光ファイバテープ心線を製造する場合に比べて着色素線数の少ない単位光ファイバ心線を製造すればよいので製造が簡単になる。
【００１７】
【発明の実施の形態】
【００１８】
【実施例１】
この発明の一実施例について図１を参照して詳細に説明する。外径１２５μｍのシングルモード光ファイバ裸線１の外側に、外径２５０μｍのエポキシアクリレート系紫外線硬化型樹脂からなる保護被覆層２が被覆され、さらにその外側にエポキシアクリレート系紫外線硬化型樹脂からなる着色層３が形成されて外径がほぼ２６０μｍの光ファイバ着色素線４が製造される。
【００１９】
この光ファイバ着色素線４の着色層３の色彩はそれぞれ異なった複数種類の色彩、例えば紫、黄、緑、赤エンジ色、オレンジ色、ブルー、ピンク、白、紺色、グレイ、茶色等の１２種類の色彩に分けられている。
【００２０】
そしてこれらの１２種類の光ファイバ着色素線を用意し、これらを平行かつ一列に配列して公知のコーティングダイス（図示は省略）に案内される。
【００２１】
このコーティングダイスによって、複数本平行に引き揃えられた前記光ファイバ着色素線の外側に一括被覆５、例えば着色用の顔料が添加されているウレタンアクリレート系紫外線硬化型樹脂がシート状に押し出され全体としてテープ状に形成された光ファイバテープ心線６が得られる。
【００２２】
この光ファイバテープ心線６の一括被覆５の色彩もまたそれぞれ各光ファイバテープ心線６ごとに異なった色彩に着色され、この結果いろいろな色彩の一括被覆５を備えた光ファイバテープ心線６が用意される。
【００２３】
そして、一括被覆５に添加される着色顔料の量と色彩を選択することによって全体として特定の色彩を帯びた任意の透明度をもった半透明の一括被覆５を設けることが出来る。
【００２４】
この場合、一括被覆層５に加えられる着色顔料の濃度が0.1％以上0.3％未満である場合は一括被覆層５の内部に埋設されている各光ファイバ着色素線４の色合いを識別することが出来る程度の半透明な状態に構成することが出来る。
【００２５】
着色顔料の濃度が0.1％未満の場合は一括被覆層５の色合いが鮮明でなくなり、着色顔料の濃度が0.3％を超えるに従って一括被覆層５の内部に埋設されている各光ファイバ着色素線４の色合いを十分、明瞭に識別し難くなる。
【００２６】
さらに、着色顔料の濃度が1.0％を超えると一括被覆層５の硬化性に影響が出始めて製品としての必要十分な可撓性に欠けてくる。
【００２７】
このようにして得られた光ファイバテープ心線６は図２に示されるように例えばケーブルスロットのＵ溝内に複数枚、積層されまたは図示されていないパイプ内に集合されて光ファイバテープ心線の集合体７が形成される。
【００２８】
【実施例２】
図３（ａ）はこの発明の他の例を示すものであって４心の光ファイバテープ心線６１を単位光ファイバテープ心線としこれが二枚、平面状に並べられ、対向する側縁部においてこれらの二枚の４心の光ファイバテープ心線が分離可能な状態で一枚の分割型光ファイバテープ心線９が構成される。
【００２９】
ここで各４心の単位光ファイバテープ心線６１は直径125μmの石英系単一モード光ファイバ裸線１１上に保護被覆２１としてウレタンアクリレート系紫外線硬化型樹脂が被覆されて外径250μmの素線が形成され、この素線上に着色樹脂層３１が被覆されて外径260μmの着色素線４１が用意される。
【００３０】
この着色素線４１が４本平行に引き揃えられ一括被覆層５１、例えばウレタンアクリレート系、エポキシアクリレート系、シリコンアクリレート系の紫外線硬化型樹脂が塗布、硬化され単位光ファイバテープ心線として４心光ファイバテープ心線６１が得られる。
【００３１】
ここで、各４心光ファイバテープ心線６１の着色素線４１は全て異なった色彩になるように構成されると共に、4種類の着色素線はすべての各光ファイバテープ心線６１について同一の順序で配列される。
【００３２】
しかしながら、前記の４心光ファイバテープ心線６１においては着色素線４１の数が4本と、その数が少ないため中央の２本を同色とし両側をそれぞれ異なった色彩に構成しても当該４心光ファイバテープ心線の端末における着色素線４１同士の同一性の照合をすることが出来る。
【００３３】
すなわち、特定の４心光ファイバテープ心線の先端部と後端部から或いは対向する一組の４心光ファイバテープ心線の先端部から接続または検査をするために1本づつ光ファイバ素線を取り出し、この取り出された一組の光ファイバ素線の同一性の照合の際、中央に位置する一対の同色の心線の左側あるいは右側に位置する心線の色彩を知ることによって各4本の心線が識別できる。
【００３４】
したがってこの場合における着色素線の色が互いに異なるとの意味は、平行に引き揃えられた複数本の光ファイバ素線を一方の側、すなわち右側から又は左側から一対づつペアにしていった場合、少なくともそのペアにおいて着色素線の色が互いに異なるとの意味である。
【００３５】
そしてさらに前記一括被覆層５１もまた着色顔料が添加されて異なった色彩に着色されている複数種類の色の一括被覆層をそれぞれ備えた光ファイバテープ心線６１が用意される。
【００３６】
この場合の一括被覆層５１における着色顔料の添加量は前述の実施例１において使用される添加量と同様である。
【００３７】
このようにして構成される各単位光ファイバテープ心線である４心光ファイバテープ心線６１が図３（ａ）に示されるように二枚、平面状に平行に引き揃えられ対向するこの４心光ファイバテープ心線６１の側縁部同士が直接、融着あるいは接着されるかまたは図３（ｂ）に示されるように共通の被覆７１により一枚のテープ状の形成された分割型光ファイバテープ心線８１が構成される。
【００３８】
そして、この共通の被覆７１により一枚のテープ状に構成されたものにおいては、その共通被覆７１は内部の一括被覆層５１の色合いが識別できるように無色に近い透明あるいは半透明であることが望ましい。
【００３９】
そして前記の分割型光ファイバテープ心線においては（１）各単位光ファイバテープ心線６１の一括被覆層５１の色をそれぞれ同色に構成したものと（２）各単位光ファイバテープ心線６１の一括被覆層５１の色を互いに異なる色彩に構成したものとが得られる。
【００４０】
これらが上記のように構成された分割型光ファイバテープ心線８１がケーブルスロットのＵ溝内または図示されていないパイプ内に複数枚、積層されまたは集合されて光ファイバテープ心線の集合体が形成される。
【００４１】
【実施例３】
なお上記の分割型光ファイバテープ心線８１においては二枚の４心光ファイバテープ心線が一体化された８心光ファイバテープ心線が示されているがこれに替えて四枚の単位光ファイバテープ心線（４心光ファイバテープ心線）を一枚のテープ状に集めて一体化し、１６心光ファイバテープ心線を構成することが出来る。
【００４２】
この場合においても前記の分割型光ファイバテープ心線８１と同様に、四枚の単位光ファイバテープ心線（４心光ファイバテープ心線）の一括被覆の色を全て同色にし、かつこの一括被覆の色がそれぞれ異なる複数種の１６心光ファイバテープ心線を用意する又は単位光ファイバテープ心線（４心光ファイバテープ心線）毎にその色を変えて、これらを組み合わせて各分割型光ファイバテープ心線の同一性の識別表示とすることができる。
【００４３】
【実施例４】
さらにまた、単位光ファイバテープ心線として前記の４心光ファイバテープ心線に替えて２心光ファイバテープ心線を単位光ファイバテープ心線として使用することも出来る。
【００４４】
各２心光ファイバ心線の着色素線の色は、例えば（青、白）、（赤、白）、（緑、白）、（紫、白）、（黄、白）、（橙、白）、（茶、白）、（水、白）等のものを用意し、
この単位光ファイバテープ心線（２心光ファイバテープ心線）を必要枚数だけ引き揃えてこの発明に係る一枚のテープ状のテープ心線に構成することが出来る。この場合においても単位光ファイバテープ心線の一括被覆の色を同一にし、かつ最終製品たる一枚のテープ状のテープ心線ごとに全体として異なった色に構成することによって一枚のテープ状のテープ心線を識別することができる。
【００４５】
あるいは、前記２心の単位光ファイバテープ心線の一括被覆の色を複数種類、例えば薄い半透明の青、赤、緑---等に着色し、これらの色の異なる単位光ファイバテープ心線の組み合わせの順序を変えて各一枚のテープ状のテープ心線を識別することができる。
【００４６】
【発明の効果】
この発明によれば、光ファイバテープ心線の一括被覆を着色することによって積層された多数枚の光ファイバテープ心線の識別が出来、このため光ファイバテープ心線自体に対する識別標識の印刷が不要になると共にこの一括被覆の着色顔料の添加量を適宜選択することによって半透明に構成することによって内部の着色素線も外側から識別することが出来る。
【図面の簡単な説明】
【図１】この発明に使用される光ファイバテープ心線の一例を示す横断面図。
【図２】この発明の実施状況の一例を示す横断面図。
【図３】（ａ）この発明に使用される光ファイバテープ心線の他の例を示す横断面図（ｂ）この発明に使用される光ファイバテープ心線の他の例を示す横断面図。
【符号の説明】
１、     １１---裸の光ファイバ
２、     ２１---保護被覆
３、     ３１---着色層
４、４１---着色素線、
５、５１---一括被覆
６、６１---光ファイバテープ心線
７---光ファイバテープ心線の集合体
７１---共通被覆
８１---分割型光ファイバテープ心線
【図１】
0003927051.tif 000002
【図２】
0003927051.tif 000003
【図３】
0003927051.tif 000004